(57)【要約】【課題】患者の顔面を覆って装着した状態において、その顔面の凹凸に起因した隙間を極力塞ぐことができ、口腔施術に際して使用される薬液や照射光が、患者の目等へ到達することを抑制することができる歯科施術用顔面保護シートを提供する。【解決手段】患者（Ｐ）の少なくとも口回りから両耳を覆って装着される歯科施術用顔面保護シートであって、可撓性を有するシート１に、患者Ｐに装着した状態において、前記患者の口（Ｍ）に対峙させられる部位に、この口を露出させるための口部開放部２が設けられているとともに、前記患者の両耳（Ｙ）に対峙させられる部位に、これらの耳を挿通させるための耳挿通部３が設けられ、さらに、前記患者の顎近傍に対峙させられる部位に、前記シート１を患者の首に固定するための紐形成部４が設けられ、かつ、前記両耳挿通部の間で、前記口部開放部の上部両側に折り返し部５が設けられている。【選択図】図１
2014221123.tif 000002
【特許請求の範囲】
【請求項１】
患者の少なくとも口回りから両耳を覆って装着される歯科施術用顔面保護シートであって、前記シートに、装着した状態において、前記患者の口に対峙させられる部位に、この口を露出させるための口部開放部が設けられているとともに、前記患者の両耳に対峙させられる部位に、これらの耳を挿通させるための耳挿通部が設けられ、さらに、前記患者の顎近傍に対峙させられる部位に、前記シートを患者の首に固定するための紐形成部が設けられ、かつ、前記両耳挿通部の間で、前記口部開放部の上部両側に折り返し部が設けられていることを特徴とする歯科施術用顔面保護シート。
【請求項２】
前記口部開放部、前記耳挿通部、前記紐形成部、および、前記折り返し部が、前記シートを線状に切り込むことによって形成されていることを特徴とする請求項１に記載の歯科施術用顔面保護シート。
【請求項３】
前記口部開放部、前記耳挿通部、前記紐形成部、および、前記折り返し部が、前記シートに施された切り込み誘導ラインを切り離すことによって形成されていることを特徴とする請求項１に記載の歯科施術用顔面保護シート。
【請求項４】
前記口部開放部を形成するために施された前記切り込み誘導ラインが、前記紐形成部を形成するための切り込み誘導ラインの一部、および、前記折り返し部を形成するための切り込み誘導ラインを構成していることを特徴とする請求項３に記載の歯科施術用顔面保護シート。
【発明の詳細な説明】
【技術分野】
【０００１】
本発明は、歯科施術に際して、患者の顔面回りを保護するために用いられる歯科施術用顔面保護シートに関するものである。
【背景技術】
【０００２】
一般医、歯科施術、たとえば、歯の黄ばみ等を除去するホワイトニング施術が広く知られている。
このホワイトニング施術は、歯に二酸化チタンなどの薬液を塗布し、この薬液に紫外線やＬＥＤ光を照射することによって生じる光触媒作用により、歯に付着した有機物や細菌類を分解して、歯の着色成分を除去するものである。
【０００３】
ところで、前述したホワイトニング施術では、前述したように、歯に薬液を塗布した後に、紫外線やＬＥＤ光を照射する必要があるが、施術時に前記薬液が口腔外に飛散したり、あるいは、前記照射光が口腔外に漏れ、たとえば、至近位置にある目に作用するといった現象が考えられる。
【０００４】
このような現象を避けるためには、施術を行なう口腔回りを布等のシートによって覆うことが有効な手段となり、その一例が特許文献１において提案されている。
【０００５】
この技術は、患者の口周辺を覆って用いられるマスク状のシートで、前記口が接する部分に、大きく開いた状態の口の形状にほぼ等しい開口部を設け、この開口部を挟んだ両側に、患者の耳を通すための切り込みをそれぞれ設けたものである。
【先行技術文献】
【特許文献】
【０００６】
【特許文献１】特開２００４−６５８８２号公報
【発明の概要】
【発明が解決しようとする課題】
【０００７】
前述したような従来のマスク状のシートは、このシートを患者、その口回りを覆うように被せ、両側の切り込みに患者の左右の耳を通すことにより患者に装着し、装着した状態において、患者の口を、前記シートに形成された開口部から外部に露出させるようにし、この開口部を介して、患者の口腔内への施術が可能な構造となっている。
【０００８】
しかしながら、患者の口回りは、鼻や頬によって複雑な凹凸が形成されており、これらの凹凸によって、前記シートと顔表面との間に隙間が形成される。
【０００９】
したがって、これらの隙間から、施術に用いられる薬液がシート外に飛散してしまったり、あるいは、照射光が漏れてしまうことが想定され、その対策が必要である。
【００１０】
特に、前述した薬液の飛散や照射光の漏れが患者の目に向けられることを防止する必要がある。
【００１１】
本発明は、このような従来の技術において残されている問題点を解決するためになされたもので、患者の顔面を覆って装着した状態において、その顔面の凹凸に起因した隙間の発生を極力抑えることの可能な歯科施術用顔面保護シートを提供することを課題とする。
【課題を解決するための手段】
【００１２】
本発明の請求項１に記載の歯科施術用顔面保護シートは、患者の少なくとも口回りから両耳を覆って装着される歯科施術用顔面保護シートであって、前記シートに、装着した状態において、前記患者の口に対峙させられる部位に、この口を露出させるための口部開放部が設けられているとともに、前記患者の両耳に対峙させられる部位に、これらの耳を挿通させるための耳挿通部が設けられ、さらに、前記患者の顎近傍に対峙させられる部位に、前記シートを患者の首に固定するための紐形成部が設けられ、かつ、前記両耳挿通部の間で、前記口部開放部の上部両側に折り返し部が設けられていることを特徴とする。
【００１３】
このような構成とすることにより、前記シートは、患者の少なくとも口回りから両耳を覆って配置される。
この状態において、前記耳挿通部を患者の両耳に対峙させるとともに、各耳を前記耳挿通部に挿通させることにより、前記シートの上部を患者に借り固定し、前記口部開放部を患者の口に対峙させることができる。
【００１４】
ついで、前記両折り返し部を、前記シートの裏側へ折り返すことにより、これらの折り返し部を、患者の鼻と両頬との窪みに差し込み、これらの窪みを塞ぐ。
【００１５】
さらに、前記シートの紐形成部に設けられた紐を患者の後頭部へ回して結ぶことにより、前記シートの下部を固定することによって、歯科施術用顔面保護シートを患者に装着することができる。
【００１６】
このようにして装着した後にあっては、シートの上部において、このシートと患者の顔面との隙間が前記折り返し部によって塞がれ、かつ、下部において、前記紐により顎に沿って固定される。
【００１７】
したがって、前記シートの周縁部のほぼ全てにおいて、患者の顔面との間の隙間をなくすことができ、かつ、患者の口が、前記口部開放部を介して露出させられ、口腔内への施術が可能である。
【００１８】
この結果、口腔内への施術に薬液の塗布や光の照射を行なった場合にあっても、薬液の飛散を抑制するとともに、照射光の漏れを抑制することができる。
【００１９】
本発明の請求項２に記載の歯科施術用顔面保護シートは、請求項１に記載の前記口部開放部、前記耳挿通部、前記紐形成部、および、前記折り返し部が、前記シートを線状に切り込むことによって形成されていることを特徴とする。
【００２０】
このような構成とすることにより、前記口部開放部にあっては、線状の開放部を広げるようにして患者の口を露出させる。
この際に、前記口部開放部は、切り込まれた内縁を立ち上げるようにして開放することから、この口部開放部の周りに、前記シートの一部で略筒状の壁が形成される。
【００２１】
このように口部開放部が壁によって取り囲まれることにより、前述した薬液の飛散が効果的に抑制される。
【００２２】
また、前述した口部開放部、耳挿通部、紐形成部、および、折り返し部を形成するに際して、シートに切り目を入れるといった簡素な作業で行なうことができ、生産性の向上を図ることができる。
【００２３】
本発明の請求項３に記載の歯科施術用顔面保護シートは、請求項１に記載の前記口部開放部、前記耳挿通部、前記紐形成部、および、前記折り返し部が、前記シートに施された切り込み誘導ラインを切り離すことによって形成されていることを特徴とする。
【００２４】
このような構成とすることにより、たとえば、前記切り込み誘導ラインをミシン目によって形成し、必要に応じて所定部位の切り込み誘導ラインを切り離すことによって、前記口部開放部、前記耳挿通部、前記紐形成部、および、前記折り返し部を形成することができる。
【００２５】
また、前記各切り込み誘導ラインの切り離し長さを適宜調整することにより、前記口部開放部、前記耳挿通部、前記紐形成部、および、前記折り返し部の大きさを調整することができる。
【００２６】
したがって、装着する患者の顔面の形状に合わせて、前記口部開放部、前記耳挿通部、前記紐形成部、および、前記折り返し部の大きさや位置を調整することができ、その汎用性を高めることができる。
【００２７】
本発明の請求項４に記載の歯科施術用顔面保護シートは、請求項３に記載の前記口部開放部を形成するために施された前記切り込み誘導ラインが、前記紐形成部を形成するための切り込み誘導ラインの一部、および、前記折り返し部を形成するための切り込み誘導ラインを構成していることを特徴とする。
【００２８】
このような構成とすることにより、切り込み誘導ラインを最小限度に止めることができ、この点からも生産性を高めることができる。
【発明の効果】
【００２９】
本発明によれば、患者の顔面を覆って装着した状態において、その顔面の凹凸に起因した隙間を極力塞ぐことができ、口腔施術に際して使用される薬液や照射光が、患者の目等へ到達することを抑制することができる。
【図面の簡単な説明】
【００３０】
【図１】本発明の一実施形態の正面図である。
【図２】本発明の一実施形態の使用前の状態を示す外観斜視図である。
【図３】本発明の一実施形態を示すもので、装着手順を示す正面図である。
【図４】本発明の一実施形態を示すもので、装着手順を示す背面図である。
【図５】本発明の一実施形態を示すもので、装着手順を示す正面図である。
【図６】本発明の一実施形態を示すもので、装着状態を示す正面図である。
【図７】本発明の他の実施形態を示す正面図である。
【図８】本発明のさらに他の実施形態を示す正面図である。
【発明を実施するための形態】
【００３１】
以下、本発明の一実施形態について、図１ないし図６を参照して説明する。
図１は、本実施形態に係わる歯科施術用顔面保護シートを示し、この歯科施術用顔面保護シートは、患者（Ｐ）の少なくとも口回りから両耳を覆って装着される歯科施術用顔面保護シートであって、可撓性を有するシート１に、患者Ｐに装着した状態において、前記患者の口（Ｍ）に対峙させられる部位に、この口を露出させるための口部開放部２が設けられているとともに、前記患者の両耳（Ｙ）に対峙させられる部位に、これらの耳を挿通させるための耳挿通部３が設けられ、さらに、前記患者の顎近傍に対峙させられる部位に、前記シート１を患者の首に固定するための紐形成部４が設けられ、かつ、前記両耳挿通部の間で、前記口部開放部の上部両側に折り返し部５が設けられている。
【００３２】
本実施形態においては、前記シート１に形成されているミシン目からなる線状の切り込み誘導ラインＡ、Ｂ、Ｃの一部あるいは全てを切り離すことによって前述した各口部開放部２、耳挿通部３、紐形成部４、および、折り返し部５を形成するようになっている。
【００３３】
すなわち、前記シート１は、その上下の寸法が、患者Ｐの顔の長さよりも大きく、また、患者Ｐの両耳の後ろ側から顔の下半分を覆う幅に形成されている。
【００３４】
そして、前記シート１の幅方向の略中央部には、上下方向の全長にわたって前記切り込み誘導ラインＡが形成され、この切り込み誘導ラインＡの上端部の第１の領域Ａ１が、前記折り返し部５を形成するために用いられ、この切り込み誘導ラインＡの略中央部の第２の領域Ａ２が、前記口部開放部２を形成するために用いられ、さらに、前記切り込み誘導ラインＡの下端部の第３の領域Ａ３が、前記紐形成部４を形成するために用いられている。
【００３５】
前記耳挿通部３を形成するための前記切り込み誘導ラインＢは、前記シート１の上部で、前記切り込み誘導ラインＡの両側に所定間隔をおいて設けられている。
【００３６】
また、前記紐形成部４を形成するための切り込み誘導ラインＣは、前記シート１の下辺から所定間隔をおいた位置に、前記切り込み誘導ラインＡに連続し、かつ、前記シート１の下辺と平行に、前記切り込み誘導ラインＡの両側に延びるように形成されている。
【００３７】
このように構成された本実施形態に係わる歯科施術用顔面保護シートは、前記切り込み誘導ラインＡの第１の領域Ａ１および第２の領域Ａ２を切り離して、前記折り返し部５および口部開放部２を形成し、また、前記切り込み誘導ラインＢを全長にわたって切り離すことにより前記耳挿通部３を形成し、さらに、前記切り込み誘導ラインＡの第３の領域Ａ３と前記両切り込み誘導ラインＣを連続して切り離すことにより、一対の紐形成部４を形成して、図２に示すように使用状態とする。
【００３８】
そして患者Ｐへの装着に当たっては、まず、前記シート１の上部で、図３に示すように、患者Ｐの口Ｍ回りおよび両耳Ｙを覆うように配置した後に、両耳挿通部３に耳Ｙをそれぞれ挿通させて仮固定する。
【００３９】
ついで、前記両紐形成部４を後頭部に回して、図４に示すように、両紐形成部４を結び合わせる。
【００４０】
さらに、前記折り返し部５を、患者Ｐの顔面側へ折り込むことにより、図５に示すように、前記シート１を患者Ｐへ装着することができる。
【００４１】
このようにして装着した状態において、前記シート１の上縁部においては、患者Ｐの鼻や頬によって形成される凹凸部に、前記折り返し部５が詰め込まれて、前記凹凸が塞がれ、一方、前記シート１の下縁部においては、前記紐形成部４によって顎下に密着させられる。
【００４２】
したがって、前記シート１の周縁部のほぼ全てにおいて、患者Ｐとの隙間が塞がれた状態となされるとともに、前記口部開放部２が、患者Ｐの口Ｍに対峙させられる。
【００４３】
この状態で、たとえば、ホワイトニング等の施術を行なう場合、前記口部開放部２を大きく開放して薬液の塗布を行ない、ついで、図６に示すように、前記口部開放部２を介して前記シート１内に照射器６を挿入して光の照射を行なう。
【００４４】
このような施術に際して、前述したように、前記シート１のほぼ全縁にわたって隙間が埋められていることにより、前記シート１の縁部から外部への薬液の飛散や、光の漏れが抑制される。
この結果、特に、目Ｙの保護作用が飛躍的に向上する。
【００４５】
また、前記口部開放部２を開放する際に、その回りのシート１が立ち上げられて、患者Ｐの口Ｍの前方に略筒状の隔壁が形成される。
これによって、前述した薬液の塗布を行なう際に、この薬液の飛散が前記隔壁によって遮られることとなり、前述した目Ｙの保護作用がさらに向上する。
【００４６】
また、本実施形態においては、前述した口部開放部、耳挿通部、紐形成部、および、折り返し部を形成するに際して、シートに切り目を入れるといった簡素な作業で行なうことができ、生産性の向上を図ることができる。
【００４７】
そして、本実施形態においては、前記各切り込み誘導ラインＡ、Ｂ、Ｃの切り離し長さを適宜調整することにより、前記口部開放部２、前記耳挿通部３、前記紐形成部４、および、前記折り返し部５の大きさを調整することができる。
【００４８】
したがって、装着する患者Ｐの顔面の形状に合わせて、前記口部開放部２、前記耳挿通部３、前記紐形成部４、および、前記折り返し部５の大きさや位置を調整することができ、その汎用性を高めることができる。
【００４９】
なお、前記実施形態において示した各構成要素の形状や寸法等は一例であって、設計要求等に基づき種々変更可能である。
【００５０】
たとえば、前記実施形態においては、切り込み誘導ラインＡ、Ｂ、Ｃをミシン目で形成しておき、これらの切り込み誘導ラインＡ、Ｂ、Ｃを切り離すことによって前記口部開放部２、耳挿通部３、紐形成部４、および、折り返し部５を形成するようにしたが、これに代えて、図７に示すように、前記シート１に、予め、切り込みを入れておくことにより、前記第１の領域Ａ１、第２の領域Ａ２、第３の領域Ａ３、および、耳挿通部３を切り離した状態とすることもできる。
【００５１】
また、図８に示すように、前記口部開放部２を十字状に形成したり、前記切り込み誘導ラインＣを２本設けて、２組の紐形成部４を形成するようにしてもよい。
【００５２】
本発明によれば、患者の顔面を覆って装着した状態において、その顔面の凹凸に起因した隙間を極力塞ぐことができ、口腔施術に際して使用される薬液や照射光が、患者の目等へ到達することを抑制することができる歯科施術用顔面保護シートを提供することができる。
【符号の説明】
【００５３】
１  シート
２  口部開放部
３  耳挿通部
４  紐形成部
５  折り返し部
６  照射器
Ａ  切り込み誘導ライン
Ａ１  第１の領域
Ａ２  第２の領域
Ａ３  第３の領域
Ｂ  切り込み誘導ライン
Ｃ  切り込み誘導ライン
Ｍ  口
Ｐ  患者
Ｙ  耳
【図１】
2014221123.tif 000003
【図２】
2014221123.tif 000004
【図３】
2014221123.tif 000005
【図４】
2014221123.tif 000006
【図５】
2014221123.tif 000007
【図６】
2014221123.tif 000008
【図７】
2014221123.tif 000009
【図８】
2014221123.tif 000010